(57)【要約】【課題】カメラヘッドがカメラ本体に装着されたときに、カメラヘッド側の画像通信用のインターフェースとカメラ本体側の画像通信用のインターフェースとの双方が適合するかどうかを判定することが自在なカメラシステムを提供する。【解決手段】カメラヘッド１ａが装着されたときに本体ＣＰＵ１００ｂが３線シリアルＩ／Ｆ１５１ｂを制御して通信仕様の送信要求をカメラヘッド１ａ側へ送信する。カメラヘッドから通信仕様がカメラ本体へ返送されてきたらカメラ本体側の本体ＣＰＵ１００ｂはカメラ本体側の高速シリアルＩ／Ｆ１５０ｂの通信仕様とカメラヘッド側の高速シリアルＩ／Ｆ１５０ａの通信仕様とを参照して双方に共通の通信仕様を設定する。【選択図】  図３
2006041900.tif 000002
【特許請求の範囲】
【請求項１】
撮影光学系と撮像素子を備えたカメラヘッドと、該カメラヘッドが着脱自在に装着され該カメラヘッドの撮像素子で生成した画像信号を受け取って信号処理を行なうカメラ本体とを有するカメラシステムにおいて、
前記カメラ本体が、
画像信号受信用の、１つ以上の通信仕様を有し複数の通信仕様を有する場合においては該複数の通信仕様の中から設定自在に設定された通信仕様で通信を行なう第１の本体側インターフェースと、
制御信号通信用の第２の本体側インターフェースとを備え、
前記カメラヘッドが、
画像信号送信用の、１つ以上の通信仕様を有し複数の通信仕様を有する場合においては該複数の通信仕様の中から設定自在に設定された通信仕様で通信を行なう第１のヘッド側インターフェースと、
制御信号通信用の、前記第２の本体側インターフェースの通信仕様に合致した通信仕様で通信を行なう第２のヘッド側インターフェースとを備え、
さらに、このカメラシステムが、前記カメラ本体および前記カメラヘッドのうちの一方である自分自身の通信仕様と、前記第２の本体側インターフェースおよび前記第２のヘッド側インターフェースを経由して受信した相手の通信仕様とを参照して、該第１の本体側インターフェースおよび該第１のヘッド側インターフェースに共通の通信仕様を該第１の本体側インターフェースおよび該第１のヘッド側インターフェース双方に設定するインターフェース設定部を備えたことを特徴とするカメラシステム。
【請求項２】
撮影光学系と撮像素子を備えたカメラヘッドが着脱自在に装着され該カメラヘッドの撮像素子で生成した画像信号を受け取って信号処理を行なうカメラ本体において、
前記カメラヘッドが、
画像信号送信用の、１つ以上の通信仕様を有し複数の通信仕様を有する場合においては該複数の通信仕様の中から設定自在に設定された通信仕様で通信を行なう第１のヘッド側インターフェースと、
制御信号通信用の第２のヘッド側インターフェースとを備えたものであって、
このカメラ本体が、
画像信号受信用の、１つ以上の通信仕様を有し複数の通信仕様を有する場合においては該複数の通信仕様の中から設定自在に設定された通信仕様で通信を行なう第１の本体側インターフェースと、
制御信号通信用の、前記第２のヘッド側インターフェースの通信仕様に合致した通信仕様で通信を行なう第２の本体側インターフェースと、
自分自身の通信仕様と、前記第２の本体側インターフェースおよび前記第２のヘッド側インターフェースを経由して受信した前記カメラヘッドの通信仕様を参照して、該第１の本体側インターフェースおよび該第１のヘッド側インターフェースに共通の通信仕様を該第１の本体側インターフェースおよび該第１のヘッド側インターフェース双方に設定するインターフェース設定部を備えたことを特徴とするカメラ本体。
【請求項３】
画像信号を受け取って信号処理を行なうカメラ本体に着脱自在に装着される、撮影光学系と撮像素子を備え該撮像素子で生成した画像信号を該カメラ本体に送信するカメラヘッドにおいて、
前記カメラ本体が、
画像信号受信用の、１つ以上の通信仕様を有し複数の通信仕様を有する場合においては該複数の通信仕様の中から設定自在に設定された通信仕様で通信を行なう第１の本体側インターフェースと、
制御信号通信用の第２の本体側インターフェースとを備えたものであって、
このカメラヘッドが、
画像信号送信用の、１つ以上の通信仕様を有し複数の通信仕様を有する場合においては該複数の通信仕様の中から設定自在に設定された通信仕様で通信を行なう第１のヘッド側インターフェースと、
制御信号通信用の、前記第２の本体側インターフェースの通信仕様に合致した通信仕様で通信を行なう第２のヘッド側インターフェースと、
自分自身の通信仕様と、前記第２の本体側インターフェースおよび前記第２のヘッド側インターフェースを経由して受信した前記カメラ本体の通信仕様を参照して、該第１の本体側インターフェースおよび該第１のヘッド側インターフェースに共通の通信仕様を該第１の本体側インターフェースおよび該第１のヘッド側インターフェース双方に設定するインターフェース設定部を備えたことを特徴とするカメラヘッド。
【発明の詳細な説明】
【技術分野】
【０００１】
本発明は、撮影光学系と撮像素子を備えたカメラヘッドと、そのカメラヘッドが着脱自在に装着されそのカメラヘッドの撮像素子で生成した画像信号を受け取って信号処理を行なうカメラ本体とを有するカメラシステム、そのカメラ本体、およびそのカメラヘッドに関する。
【背景技術】
【０００２】
撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献１参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換を行なわせることができる。
【０００３】
同様なものに、撮影光学系と撮像素子を備えたカメラヘッドと、カメラヘッドが着脱自在に装着されカメラヘッドから画像信号を受け取って信号処理を行なうカメラ本体とを備えたカメラシステムがある（例えば特許文献２参照）。
【０００４】
このようなカメラシステムにおいては、カメラヘッドについても、またカメラ本体についても上位機種から下位機種に至るまでの製品を豊富に取り揃えておいてその中のどのカメラヘッドを選択しても、またどのカメラ本体を選択しても容易に組み合わせることができるようにしておくと、どのようなユーザニーズにも対応可能なカメラシステムになる。
【０００５】
しかし、カメラヘッドの電気仕様とカメラ本体の電気仕様とが異なっているとカメラシステムが成り立たず、カメラヘッドがカメラ本体に装着されたとしても撮影が行なえない状況が発生する。このような状況を回避するために撮像素子までを備えたカメラヘッドではないが、交換レンズの電気仕様がカメラ本体の電気仕様に適合するかどうかを交換レンズがカメラ本体に装着されたときに判定する技術が提案されている（例えば特許文献３参照）。
【０００６】
この特許文献３のものでは、複数種類の内の一つの交換レンズが複数種類の内の一つのカメラ本体に装着されたときに、交換レンズ側の電気仕様（出力電流値や出力電圧値など）とカメラ本体側の電気仕様（入力電流値や入力電圧値など）とが適合するかどうかがカメラ本体側の制御部で判定される。
【０００７】
この特許文献３に提案されている技術を用いると、交換レンズがカメラ本体に装着されたときに交換レンズにあう処理がカメラ本体で行なえるかどうかをカメラ本体側の制御部で判定することができる。
【０００８】
ところで、最近、カメラヘッドに撮影光学系と撮像素子とを配備してカメラヘッド側の撮像素子で生成した画像信号を、カメラヘッドとカメラ本体との双方に設けた画像通信用の通信インターフェースを通してカメラ本体側に転送してカメラ本体内の信号処理部に信号処理を行なわせるカメラシステムが提案されている。このようなシステムにおいてはカメラヘッド側の画像通信用のインターフェースの通信仕様とカメラ本体側の画像通信用のインターフェースの通信仕様が適合するかどうかを判定する必要があるが、特許文献３のシステムでは双方の画像通信用のインターフェースの適合性を判定するようなことは行なっていない。
【特許文献１】特開平８−１７２５６１号公報
【特許文献２】特開２０００−１７５０８９号公報
【特許文献３】特開２００３−２２８１１５号公報
【発明の開示】
【発明が解決しようとする課題】
【０００９】
本発明は、カメラヘッドがカメラ本体に装着されたときに、カメラヘッド側の画像通信用のインターフェースとカメラ本体側の画像通信用のインターフェースとが適合するかどうかを判定することが自在なカメラシステム、そのカメラシステムを構成するカメラ本体およびカメラヘッドを提供することを目的とする。
【課題を解決するための手段】
【００１０】
上記目的を達成する本発明のカメラシステムは、撮影光学系と撮像素子を備えたカメラヘッドと、そのカメラヘッドが着脱自在に装着されそのカメラヘッドの撮像素子で生成した画像信号を受け取って信号処理を行なうカメラ本体とを有するカメラシステムであって、
上記カメラ本体が、
画像信号受信用の、１つ以上の通信仕様を有し複数の通信仕様を有する場合においてはその複数の通信仕様の中から設定自在に設定された通信仕様で通信を行なう第１の本体側インターフェースと、
制御信号通信用の第２の本体側インターフェースとを備え、
上記カメラヘッドが、
画像信号送信用の、１つ以上の通信仕様を有し複数の通信仕様を有する場合においてはその複数の通信仕様の中から設定自在に設定された通信仕様で通信を行なう第１のヘッド側インターフェースと、
制御信号通信用の、上記第２の本体側インターフェースの通信仕様に合致した通信仕様で通信を行なう第２のヘッド側インターフェースとを備え、
さらに、このカメラシステムが、上記カメラ本体および上記カメラヘッドのうちの一方である自分自身の通信仕様と、上記第２の本体側インターフェースおよび上記第２のヘッド側インターフェースを経由して受信した相手の通信仕様とを参照して、上記第１の本体側インターフェースおよび上記第１のヘッド側インターフェースに共通の通信仕様を上記第１の本体側インターフェースおよび上記第１のヘッド側インターフェース双方に設定するインターフェース設定部を備えたことを特徴とする。
【００１１】
上記本発明のカメラシステムによれば、上記インターフェース設定部によって、上記カメラ本体および上記カメラヘッドのうちの一方である自分自身の上記第１の本体側インターフェースの通信仕様もしくは上記第１のヘッド側インターフェースの通信仕様と、上記第２の本体側インターフェースおよび上記第２のヘッド側インターフェースを経由して受信した相手の上記第１のヘッド側インターフェースの通信仕様もしくは上記第１の本体側インターフェースの通信仕様との双方が参照され、上記第１のヘッド側インターフェースと上記第１の本体側インターフェースとの双方に共通の通信仕様が設定される。
【００１２】
そうすると、上記カメラヘッドが上記カメラ本体に装着されたときに上記インターフェース設定部により第１のヘッド側インターフェースと上記第１の本体側インタフェースとの双方の通信仕様が参照され、その参照により双方のインターフェースが適合するかどうかが判定される。
【００１３】
もし上記インターフェース設定部により上記本体側およびヘッド側の第１のインターフェースの通信仕様が参照されたときに双方に共通の通信仕様がなかったならば、そのカメラヘッドとそのカメラ本体の組合せでは撮影が行なえないことを撮影前に撮影者に通知することもできる。
【００１４】
また、前述したようにこのカメラシステムを構成するカメラ本体およびカメラヘッドを双方とも複数の種類準備しておいてそれら複数の種類の中のどのカメラヘッドが選択されたとしても、また複数の種類の中のどのカメラ本体が選択されたとしても、双方が適応的に組み合わされるカメラシステムにしておきたい。
【００１５】
そこで、上記本発明のカメラ本体は、
撮影光学系と撮像素子を備えたカメラヘッドが着脱自在に装着されそのカメラヘッドの撮像素子で生成した画像信号を受け取って信号処理を行なうカメラ本体であって、
上記カメラヘッドが、
画像信号送信用の、１つ以上の通信仕様を有し複数の通信仕様を有する場合においてはその複数の通信仕様の中から設定自在に設定された通信仕様で通信を行なう第１のヘッド側インターフェースと、
制御信号通信用の第２のヘッド側インターフェースとを備えたものであって、
このカメラ本体が、
画像信号受信用の、１つ以上の通信仕様を有し複数の通信仕様を有する場合においてはその複数の通信仕様の中から設定自在に設定された通信仕様で通信を行なう第１の本体側インターフェースと、
制御信号通信用の、上記第２のヘッド側インターフェースの通信仕様に合致した通信仕様で通信を行なう第２の本体側インターフェースと、
自分自身の通信仕様と、上記第２の本体側インターフェースおよび上記第２のヘッド側インターフェースを経由して受信したカメラヘッドの通信仕様を参照して、上記第１の本体側インターフェースおよび第１のヘッド側インターフェースに共通の通信仕様をその第１の本体側インターフェースおよびその第１のヘッド側インターフェース双方に設定するインターフェース設定部を備えた態様であることが好ましい。
【００１６】
また、上記本発明のカメラヘッドが、
画像信号を受け取って信号処理を行なうカメラ本体に着脱自在に装着される、撮影光学系と撮像素子を備えその撮像素子で生成した画像信号をそのカメラ本体に送信するカメラヘッドであって、
上記カメラ本体が、
画像信号受信用の、１つ以上の通信仕様を有し複数の通信仕様を有する場合においてはその複数の通信仕様の中から設定自在に設定された通信仕様で通信を行なう第１の本体側インターフェースと、
制御信号通信用の第２の本体側インターフェースとを備えたものであって、
このカメラヘッドが、
画像信号送信用の、１つ以上の通信仕様を有し複数の通信仕様を有する場合においてはその複数の通信仕様の中から設定自在に設定された通信仕様で通信を行なう第１のヘッド側インターフェースと、
制御信号通信用の、上記第２の本体側インターフェースの通信仕様に合致した通信仕様で通信を行なう第２のヘッド側インターフェースと、
自分自身の通信仕様と、上記第２の本体側インターフェースおよび上記第２のヘッド側インターフェースを経由して受信した上記カメラ本体の通信仕様とを参照して、上記第１の本体側インターフェースおよび上記第１のヘッド側インターフェースに共通の通信仕様をその第１の本体側インターフェースおよびその第１のヘッド側インターフェース双方に設定するインターフェース設定部を備えた態様であっても良い。
【００１７】
このようにカメラ本体が上記インターフェース設定部を備えたものであると、複数の種類のカメラヘッドに対応可能なカメラ本体になる。また、カメラヘッドが上記インターフェース設定部を備えたものであっても良く、その場合には複数の種類のカメラ本体に対応可能なカメラヘッドになる。
【発明の効果】
【００１８】
以上、説明したように、カメラヘッドがカメラ本体に装着されたときに、カメラヘッドの画像通信用のインターフェースがカメラ本体側の画像通信用のインターフェースに適合するかどうかを判定することが自在なカメラシステム、そのカメラシステムを構成するカメラ本体およびカメラヘッドが実現される。
【発明を実施するための最良の形態】
【００１９】
以下、本発明の実施の形態について説明する。
【００２０】
図１は、本発明の一実施形態であるカメラシステムを示す図である。
【００２１】
図１に示すように本発明のカメラシステムを構成するカメラ本体およびカメラヘッドは、双方とも複数の種類１ａ〜ｎａ、１ｂ〜ｎｂからなるものであって、その複数の種類の中のいずれかの種類のカメラヘッドが交換自在にいずれかの種類のカメラ本体に装着される。
【００２２】
図２は、その複数の種類の中の一つであるカメラヘッド１ａが複数の種類の一つであるカメラ本体１ｂに交換自在に装着されカメラシステムが構成されたときの外観を示す図である。
【００２３】
図２に示すように本実施形態のカメラシステム１は、図１に示す複数種類の中の一つであるカメラヘッド１ａと、図１に示す複数種類の中の一つであるカメラ本体１ｂとが組み合わされて構成されている。ここでは、一例として一つのカメラヘッド１ａが一つのカメラ本体１ｂに交換自在に装着された場合の例を示してあるが、このカメラシステムは、図１のカメラヘッド１ａのどれであっても、図１のカメラ本体１ｂのどれにでも自在に装着されるようになっている。
【００２４】
図２には、撮影光学系と撮像素子を備えたカメラヘッド１ａと、そのカメラヘッド１ａが着脱自在に装着されカメラヘッド１ａから画像信号を受け取って信号処理を行なうカメラ本体１ｂとが示されている。カメラ本体１ｂの中央には、多数のマウント接点を持つヘッドマウント１０ｂが配備されている。カメラヘッド１ａ側にも同様のマウント部が構成されており、双方のマウント接点の位置がそれぞれあうように図中の一点鎖線に沿ってカメラヘッド１ａがカメラ本体１ｂに装着されると、多数のマウント接点同士が各々接続されてカメラヘッド１ａとカメラ本体１ｂとが電気的に接続される。カメラヘッド１ａがカメラ本体１ｂに装着されたときに電気的な接続が常に保たれるように、カメラ本体１ｂ内にはカメラヘッド１ａがカメラ本体１ｂに装着された状態が保たれるようにアクチュエータを備えた固定機構が設けられている。カメラヘッドが一旦カメラ本体に装着されてしまうとその固定機構が働いてすぐには外れないようになってしまうので、取り外しスイッチ（不図示）を設けておいて、その取り外しスイッチを操作しさえすればカメラヘッド１ａをカメラ本体１ｂから取り外すことができるようになっている。また、このカメラシステム１は、カメラ本体１ｂにバッテリが配備され、そのバッテリから、カメラヘッド１ａおよびカメラ本体１ｂが備える多数のマウント接点の中の電力用接点を通して電力が供給される構成になっている。またその多数のマウント接点の中には、通信用の接点もあり、その通信用の接点を通してカメラ本体１ｂ側からカメラヘッド１ａ側へ情報の問い合わせや画像信号の送信要求が行なわれたり、またカメラヘッド１ａ側からカメラ本体１ｂ側へその問い合わせに応じた回答や画像信号の送信が行なわれたりするようになっている。この通信用の接点は、どのカメラヘッド１ａ、どのカメラ本体１ｂであっても、制御信号用と画像信号通信用の２種類が配備されており、画像信号用のものも、制御信号用のものも、いずれも形状的には全く同じ仕様のものが配備されて必ず装着されるものとして以降説明する。ただし、画像信号用のものについては形状的には全く同じ仕様のものであっても、通信仕様例えば通信速度などに様々なものがある。この通信仕様例えば通信速度などに様々なものがあることについては後述する。
【００２５】
また、図２に示すカメラ本体１ｂのヘッドマウント１０ｂの上方には、ＡＷＢセンサ１１ｂが配備され、そのＡＷＢセンサ１１ｂにより撮影時の光源種が検出されている。この光源種とは、例えば太陽光であるか蛍光灯であるかといったようなものであり、この光源種がＡＷＢセンサ１１ｂにより検出されると後述するデジタル信号処理部に適正な色温度が設定されて最適なホワイトバランスの調整が行なわれる。そのＡＷＢセンサ１１ｂの横には、閃光発光窓１２ｂが配備されており、その閃光発光窓１２ｂを通して閃光を発光する閃光発光装置がカメラ本体１ｂ内に配備されている。さらにカメラ本体１ｂのボディ上面にはレリーズ釦１３ｂとモードダイヤル１４ｂが配備されている。このモードダイヤル１４ｂによって撮影モードと再生モードとが選択され、その撮影モードにあっては、さらに静止画撮影モードであるとか、動画撮影モードであるとかが選択される。なお、本実施形態では、このモードダイヤル１４ｂが電源スイッチとしても働く。また、カメラ本体の裏面側には、操作手段として十字キーやＯＫ釦などのスイッチ類が配備されている。
【００２６】
ここで図３を参照して図２に示すカメラシステムの内部の構成を説明する。
【００２７】
図３はカメラヘッド１ａがカメラ本体１ｂに装着された状態にあるときのカメラシステムの内部構成を示すブロック図である。
【００２８】
図３の上方側にはカメラヘッド１ａの構成が、また図３の下方側にはカメラ本体１ｂの構成がそれぞれ示されている。
【００２９】
まず、このカメラシステムの電源廻りの構成を簡単に説明しておく。
【００３０】
カメラヘッド１ａ側のＤＣ／ＤＣコンバータ１０１ａと本体側のＤＣ／ＤＣコンバータ１４１ｂは、カメラ本体の電池の電力供給を受けて動作するものであって、カメラヘッド側の電源制御部１００ａ，カメラ本体側の電源制御部１４０ｂによってそれぞれ制御される。
【００３１】
カメラヘッド１ａがカメラ本体１ｂに装着された状態にあるときにモードダイヤル１４ｂが操作されることによって電源投入の指示がユーザ操作により出されると、カメラ本体側の電源制御部１４０ｂからＤＣ／ＤＣコンバータ１４１ｂに指示が出されてカメラ本体１ｂ内の各部に電池からの電力が供給されるとともに、そのカメラ本体１ｂ側の電源制御部１４０ｂ、さらにラッチ部１６０ｂ、Ｉ／Ｏ部１６１ｂを経てカメラヘッド１ａ側の電源制御部１００ａにも電力供給の指示が伝達されると、電池の電力がＤＣ／ＤＣコンバータ１０１ａを介してカメラヘッド１ａ側の各部に供給される。
【００３２】
なお、カメラヘッド１ａがカメラ本体１ｂに装着された状態になったときには、カメラ本体１ｂ側の電源制御部１４０ｂにカメラヘッド１ａ側からロー信号（グランドレベル）が供給される。ここでモードダイヤル１４ｂにより電源投入の指示が出されたら、これを受けてカメラ本体１ｂ側の電源制御部１４０ｂによりラッチ部１６０ｂがローからハイへ、もしくはハイからローへ切り替えられそのままラッチされてＩ／Ｏ部１６１ｂにラッチ信号が供給される。さらにＩ／Ｏ部１６１ｂからカメラヘッド１ｂ側の電源制御部１４０ｂへ向けて電源オン指示が伝達される仕組みになっている。つまりモードダイヤルが操作され電源スイッチ１４ｂが投入されたときに、カメラ本体１ｂ側のＤＣ／ＤＣコンバータ１４０ｂ、またカメラヘッド１ａ側のＤＣ／ＤＣコンバータ１０１ａから各部に電力が供給されてこのカメラシステム全体がカメラシステムとして立ち上がり動作するようになっている。
【００３３】
次に、電源が投入され、このカメラシステムが動作して撮影が行なわれたときにカメラヘッド１ａからカメラ本体１ｂへ送信される画像信号の流れを説明する。
【００３４】
この画像信号の流れを説明していく中で、本発明にいう第１の本体側およびヘッド側インターフェース（以下Ｉ／Ｆという）の構成および本発明にいう第２の本体側およびヘッド側Ｉ／Ｆの構成を順次説明する。
【００３５】
まず、カメラヘッド１ａ側の構成を説明する。
【００３６】
図３に示すようにこのカメラシステム１を構成するカメラヘッド１ａには、撮影光学系１１ａと撮像素子（ここではＣＣＤ固体撮像素子が用いられているので以下ＣＣＤという）１２ａとが備えられている。その撮影光学系１１ａ内には撮影レンズや絞りなどが配備されている。その撮影光学系１１ａ内の撮影レンズで被写体をＣＣＤ１２ａに結像させて、ＣＣＤ１２ａで画像データの生成を行なっている。このＣＣＤ１２ａで生成した画像データをアナログ信号処理部１３ａに出力してそのアナログ信号処理部１３ａでノイズ低減の処理などを行なった後、後段のＡ／Ｄ部１４ａでアナログ信号の画像信号をデジタル信号の画像信号に変換して高速シリアルＩ／Ｆ１５０ａに供給している。この高速シリアルＩ／Ｆ１５０ａおよびカメラ本体の高速シリアルＩ／Ｆを経由してカメラ１ｂ本体側にデジタル信号になった画像信号が送信される。
【００３７】
前述したように、複数種類の中からの一つのカメラヘッドが、複数種類の中の一つであるカメラ本体に装着されてこのカメラシステムが構成される訳であるから、装着された時点においてカメラ本体は、カメラヘッド内の撮像素子やカメラヘッド側が備える通信Ｉ／Ｆの通信仕様がどのような種類のものであるかが全く分からない状況にある。そこで、本実施形態では、カメラヘッド１ａがカメラ本体１ｂに装着され電源が投入されたときに、後述する本体側のＣＰＵ１００ｂが、本体側の３線シリアルインターフェース１５１ｂを制御してカメラヘッド１ａに対して、カメラヘッド１ａ内のＣＣＤのコンフィギュレーション情報や通信仕様の送信要求を送信するようにしている。詳細は後述するが、カメラヘッド１ａがカメラ本体１ｂ側からのＣＣＤ１２ａのコンフィギュレーション情報や通信仕様の送信要求に応えて、カメラ本体１ｂ側へＣＣＤ１２ａのコンフィギュレーション情報や通信仕様を、３線シリアルＩ／Ｆ１５１ａ，１５１ｂを用いて返送すると、その返送を受けてカメラ本体１ｂの本体ＣＰＵ１００ｂがその通信仕様に応じて高速シリアルＩ／Ｆ１５０ａ，１５０ｂの通信速度を設定したり、後述するデジタル信号処理部のコンフィギュレーションを設定したりする構成になっている。このカメラヘッド側の３線シリアルＩ／Ｆ１５１ａが本発明にいう第２のヘッド側インターフェースに相当し、上記高速シリアルＩ／Ｆ１５０ａが、本発明にいう第１のヘッド側インターフェースに相当する。また後述する本体側の本体ＣＰＵ１００ｂが本発明にいうインターフェース設定部に相当する。本実施形態では、本体ＣＰＵ１００ｂが主体となってカメラ本体側の高速シリアルＩ／Ｆ１５０ｂはもとより、カメラヘッド１ａ側の高速シリアルＩ／Ｆ１５０ａの通信速度なども設定する構成になっている。
【００３８】
その本体側ＣＰＵ１００ｂによって高速シリアルＩ／Ｆ１５０ａ，１５０ｂの通信速度が設定された後、画像信号がこれらの高速シリアルＩ／Ｆ１５０ａ，１５０ｂを経由してカメラ本体１ｂのリコンフィギュアラブルデジタル信号処理部１０３ｂに供給される。このカメラ本体側に供給される画像信号の中には、モードダイヤル１４ｂによっていずれかの撮影モードが選択された状態にあるときに撮影光学系内の撮影レンズが捉えた被写体をＬＣＤパネル（図示せず）上に表示するためのスルー画用の画像信号（以下スルー画信号という）やその撮影モードの中の静止画撮影モードが選択された状態にあるときにレリーズ釦１３ｂの操作により得られる静止画像を表す画像信号（以下静止画信号という）やその撮影モードの中の動画モードが選択された状態にあるときにレリーズ釦１３ｂの操作により得られる動画を表す画像信号（以下動画信号という）の３通りの画像信号がある。
【００３９】
なお、Ａ／Ｄ部１４ａでデジタル信号に変換された画像信号はＡ／Ｄ部１４ａの後段に設けられた積算回路１６ａにも供給されている。この積算回路１６ａはＡＦ機能（以下ＡＦという）およびＡＥ機能（以下ＡＥという）を果たすものであって、この積算回路１６ａによってＡＥ機能を働かせるための被写界輝度の測定やＡＦ機能を働かせるための被写体距離の測定が行なわれている。その積算回路１６ａで測定された被写体距離や被写界輝度がデータバス１９２ａを介して絞り／フォーカス／ズーム制御部１７ａに供給され、その絞り／フォーカス／ズーム制御部１７ａによって撮影光学系内の絞りの径が調節されたり、撮影光学系内のフォーカスレンズの位置が調節されたりする。このようにしておくとこのカメラヘッド１ａが備える撮影光学系内のレンズが異なる被写体に向けられる度にＡＦやＡＥが働きすぐにピントや輝度の調整が行なわれてピントの合った被写体を表す画像データがＣＣＤ１２ａで生成されＣＣＤ１２ａから出力される。
【００４０】
このようにカメラヘッド１ａは、カメラヘッド１ａがカメラ本体１ｂに装着されたときに３線シリアルＩ／Ｆを用いてカメラ本体からの要求に応じてコンフィギュレーション情報や通信仕様などをカメラ本体側１ｂへ送って、カメラヘッド１ａ内のＣＣＤ１２ａの仕様やカメラヘッドの通信仕様をカメラ本体１ｂ側に通知した後、ＣＣＤ１２ａで生成した画像信号を、高速シリアルＩ／Ｆを用いてカメラ本体へ供給するようにしている。
【００４１】
以上がカメラヘッド１ａ側の構成である。
【００４２】
次にカメラ本体１ｂ側の、カメラヘッド１ａから画像信号が供給されきた画像信号の信号処理を行なう構成を説明する。
【００４３】
カメラ本体１ｂには、リコンフィギュアラブルデジタル信号処理部１０３ｂが配備されており、そのリコンフィギュアラブルデジタル信号処理部１０３ｂには、カメラヘッド側の３線シリアルＩ／Ｆおよびカメラ本体側の３線シリアルＩ／Ｆを経由してカメラヘッドから送信されてきたコンフィギュレーション情報がセットされている。本体ＣＰＵ１００ｂが、リコンフィギュアラブルデジタル信号処理部１０３ｂにそのコンフィギュレーション情報をセットするにあたっては、電源が投入されたときにまず３線シリアルＩ／Ｆ１５１ｂを制御して、カメラヘッド１ａ側のコンフィギュレーション情報の送信要求をカメラヘッド１ａに対し送信するとともに、その送信に応えてカメラヘッド１ａからコンフィギュレーション情報が返送されてきたときにそのコンフィギュレーション情報を３線シリアルＩ／Ｆにより受け取って、その受け取ったコンフィギュレーション情報をリコンフィギュアラブルデジタル信号処理部１０３ｂにセットするようにしている。さらに本実施形態では、この３線シリアルＩ／Ｆ１５１ｂを用いてインターフェース設定部にもなる本体ＣＰＵ１００ｂが、カメラヘッド１ａの高速シリアルＩ／Ｆ１５０ａの通信速度およびカメラ本体１ｂの高速シリアルＩ／Ｆ１５０ｂの通信速度の設定を行なって、双方の高速シリアルＩ／Ｆ１５０ａ，１５０ｂを介して送信されてくる画像信号をできるだけ短時間のうちにリコンフィギュアラブルデジタル信号処理部１０３ｂに供給することができるようにしている。
【００４４】
上記３線シリアルＩ／Ｆ１５１ｂが本発明にいう第２の本体側インターフェースに相当する。また上記高速シリアルＩ／Ｆ１５０ｂが第１の本体側インターフェースに相当する。
【００４５】
この第２のヘッド側インターフェースである３線シリアルＩ／Ｆ１５１ａと第２の本体側インターフェースである３線シリアルＩ／Ｆ１５１ｂは、どのカメラヘッド、どのカメラ本体にも共通的に配備されているものであり、ヘッド側の３線シリアルＩ／Ｆの通信仕様は本体側の３線シリアルＩ／Ｆに合致するものであるから、どのカメラヘッドがどのカメラ本体に装着されても、双方の３線シリアルＩ／Ｆを用いることによってカメラヘッド側の第１のヘッド側Ｉ／Ｆである高速シリアルＩ／Ｆの通信仕様やカメラヘッドが備えるＣＣＤのコンフィギュレーション仕様を参照することができる。その参照により双方に共通の通信仕様があった場合には、その共通の通信仕様が本体ＣＰＵにより双方の通信Ｉ／Ｆに設定されてカメラヘッドのＣＣＤで生成された画像信号がカメラヘッド側からカメラ本体側へ供給されカメラ本体の信号処理部でＣＣＤのコンフィギュレーション仕様にあった信号処理が行なわれる。
【００４６】
このようにカメラヘッド１ａが備えるＣＣＤ１２ａや高速シリアルＩ／Ｆの通信仕様にあわせて、交換自在に装着されたカメラヘッド１ａが持つＣＣＤ１２ａのコンフィギュレーション仕様に応じた信号処理がカメラ本体１ｂ側で行なえるため、電源が投入されたときにすぐにスルー画の表示が行なえるようになる。
【００４７】
ここで、画像信号の流れに話を戻して、カメラ本体側のリコンフィギュアラブルデジタル信号処理部以降の画像信号の処理構成を説明する。
【００４８】
本実施形態では、前述したようにカメラヘッド１ａからスルー画信号、静止画信号、動画信号の３種類の画像信号のうちのいずれかが送信されてくるので、例えばスルー画信号であればそのスルー画信号にリコンフィギュアラブルデジタル信号処理部１０３ｂで処理が施されその処理が施された画像信号がフレームメモリ１０４ｂを経由してＬＣＤ制御部１０５ｂ、さらにＬＣＤ１０５０ｂに供給されＬＣＤ表示画面上にスルー画信号に基づくスルー画が表示される。ＬＣＤ制御部１０５ｂにはＯＳＤ（Ｏｎ  Ｓｃｒｅｅｎ  Ｄｉｓｐｌａｙ）１０５１ｂ側からの情報も供給されているためスルー画とともに選択メニューなども表示されるようになっている。
【００４９】
また、そのスルー画を見ながらレリーズ釦１３ｂが押されたら、ＣＣＤ１２ａで生成された静止画信号がリコンフィギュアラブルデジタル信号処理部１０３ｂに供給され、そのリコンフィギュアラブルデジタル信号処理部１０３ｂで信号処理が施され、さらにカードＩ／Ｆ１０６ｂを経由してメモリカードスロット１０７ｂに装填されているメモリカード１０８ｂにＪＰＥＧ圧縮された静止画信号が記録される。
【００５０】
さらに動画像信号にリコンフィギュアラブルデジタル信号処理部１０３ｂで処理が施されると、カードＩ／Ｆ１０６ｂを経由してメモリカードスロット１０７ｂに装填されているメモリカード１０８ｂに例えばＭＰＥＧ圧縮された画像信号が記録される。
【００５１】
このように画像信号が高速シリアルＩ／Ｆにより短時間のうちにカメラ本体側に送られてきて、その送られてきた画像信号に、カメラ本体内のリコンフィギュアラブルデジタル信号処理部でカメラヘッド１ａ内のＣＣＤ１２ａのコンフィギュレーションに合わせた信号処理が施される。
【００５２】
以上が画像信号の流れである。
【００５３】
最後にこのカメラ本体が備える他の構成部品についてその構成を説明する。
【００５４】
カメラ本体１ｂには、画像信号の処理を行なう部分のほか、ＯＳＤ１０５１ｂを経由してＬＣＤ画面上に時刻や日付情報を表示するためのデータを作成するタイマ１１０ｂやカレンダ時計１１１ｂなどや外部機器との接続用のＵＳＢＩ／Ｆ１３１ｂおよびＵＳＢコネクタ１３０ｂやこのカメラシステムに操作指示を与えたり簡易表示を行なったりするスイッチ／ＬＥＤ等１３２ｂなども配備されている。このスイッチの操作指示などはＩ／Ｏ１３３ｂを介して本体ＣＰＵ１００ｂに供給され、本体ＣＰＵ１００ｂによりその操作指示に応じた処理が行なわれる。ただしレリーズ釦１３ｂは本体ＣＰＵ１００ｂおよびヘッドＣＰＵ１９ａの双方の割り込み端子に直接接続されており、レリーズ釦１３ｂが押されたときには、双方のＣＰＵ１９ａ，１００ｂに割り込みがかけられて静止画処理プログラムもしくは動画プログラムが起動されるようになっている。
【００５５】
ここで、インターフェース設定部でもある本体ＣＰＵ１００ｂがカメラヘッド１ａの高速シリアルＩ／Ｆ１５０ａとカメラ本体の高速シリアルＩ／Ｆ１５０ｂに設定するにあたって、装着されたカメラヘッド１ａの高速シリアルＩ／Ｆの通信仕様およびカメラ本体１ｂの高速Ｉ／Ｆ双方の通信仕様を参照するときの通信手順を説明する。
【００５６】
図４は、本体ＣＰＵ１０１ｂが制御する、カメラ本体１ｂとカメラヘッド１ａとの間の通信手順を示すフローチャートである。
【００５７】
この例では本体ＣＰＵ１００ｂがインターフェース設定部でもあるため、カメラ本体側の高速シリアルＩ／Ｆ１５０ｂの通信仕様については電源投入時に本体ＣＰＵ自らがその通信仕様を参照しているものとして話を進める。
【００５８】
そうすると、相手方つまりカメラヘッド１ａ側の高速シリアルＩ／Ｆ１５０ａの通信仕様を参照してカメラヘッド１ａ側に通信仕様を通知することさえできれば、双方に共通の通信仕様をセットすることができる。
【００５９】
そこで、まずカメラヘッド１ａ側の高速シリアルＩ／Ｆ１５０ａの通信仕様を参照するために、ステップＳ４０１でカメラヘッド１ａがカメラ本体１ｂに装着されたことを検出する。そうしたら、このステップＳ４０１で３線シリアルＩ／Ｆ１５１ｂを制御して通信仕様の送信要求をカメラヘッド１ａへ向けて送信する。この送信を受けてカメラヘッド１ａの３線シリアルＩ／Ｆ１５１ａから通信仕様が返送されてきたらその通信仕様と自分自身の通信仕様との双方を参照して、まずステップＳ４０２で自分自身の通信速度を決定してカメラ本体１ｂの高速シリアルＩ／Ｆ１５０ｂに設定する。さらにその決定した通信速度をカメラヘッド１ａへ送信してその送信した通信速度をカメラヘッド１ａ側の高速シリアルＩ／Ｆ１５０ａに設定する。カメラヘッド１ａ側の設定が完了したことを、完了通知（ＡＣＫ）を受け取ることにより検知したら、双方の高速シリアルＩ／Ｆが通信レディ状態になるのでフローの処理を終了する。
【００６０】
図５は、カメラヘッド１ａ側およびカメラ本体側の高速シリアルＩ／Ｆ１５０ａ，１５０ｂに設定可能な、複数の通信速度を示す図である。
【００６１】
図５（ａ）にはカメラヘッド１ａ側の高速シリアルＩ／Ｆ１５０ａに設定可能な、複数の通信速度が示されている。また図５（ｂ）にはカメラ本体側の高速シリアルＩ／Ｆ１５０ｂに設定可能な、複数の通信速度が示されている。
【００６２】
前述したようにカメラヘッド１ａもカメラ本体１ｂも複数の種類あり、それら複数の種類の中の一つであるカメラヘッド１ａ、カメラ本体１ｂそれぞれが備える高速シリアルＩ／Ｆ１５０ａ，１５０ｂが必ずしも同じ通信仕様のものであるとは限らない。ここでは、双方の高速シリアルＩ／Ｆに設定可能な通信速度が３つづつ示されている。
【００６３】
カメラ本体側の高速シリアルＩ／Ｆ１５０ａは、低速レートである２００Ｍｂｐｓの通信速度、中速レートである４００Ｍｂｐｓの通信速度、さらに高速レートである６００Ｍｂｐｓの通信速度の３つの通信速度をサポートしている。これに対し、カメラヘッド１ｂの高速通信Ｉ／Ｆ１５０ｂは、低速レートである２００Ｍｂｐｓの通信速度、中速レートである４００Ｍｂｐｓの通信速度については共通的にサポートしているが、高速レートについては５００Ｍｂｐｓのものしかサポートしていない。
【００６４】
このような場合には、中速レートが共通の通信速度として双方の高速シリアルＩ／Ｆ１５０ａ，１５０ｂに設定される。低速であっても良いが、中速であった方が画像信号のデータ容量が多い場合などにより速く画像信号の送信が行なえる。
【００６５】
ここでは、共通の通信速度がある例を示したが、もし共通の通信速度がない場合には、不適合という判定を本体ＣＰＵ１００ｂにより行なってその旨ユーザに伝えるようにしておけば良い。
【００６６】
このようにカメラヘッド１ａが交換自在にカメラ本体１ｂに装着されたときに、双方が備える高速シリアルＩ／Ｆ１５０ａ，１５０ｂの適合性の判定を本体ＣＰＵ１００ｂが３線シリアルＩ／Ｆ１５１ｂを制御して通信により相手の高速シリアルＩ／Ｆ１５０ａの通信仕様の参照して自分自身の高速シリアルＩ／Ｆ１５０ｂの通信仕様と比較することにより行なうことができるカメラシステムが実現される。また、同時にカメラヘッド１ａが交換自在にカメラ本体１ｂに装着されたときに、カメラヘッドが備える高速シリアルＩ／Ｆ１５０ａがカメラ本体の高速シリアルＩ／Ｆに適合するかどうかを判定することができるカメラ本体も実現される。
【００６７】
図６は、別の通信Ｉ／Ｆを持つカメラヘッドの構成を示す図である。
【００６８】
複数の種類のカメラヘッド１ａ〜ｎａ、複数の種類のカメラ本体１ｂ〜ｎｂの中には、図６に示すように高速シリアルＩ／Ｆ１５０ａ，１５０ｂに加えて双方に光通信Ｉ／Ｆ１５２ａ，１５２ｂを配備しているものもある。このような場合には、光通信Ｉ／Ｆ１５２ａ，１５２ｂを用いて通信を行なった方がより高速の通信を行なうことができる。
【００６９】
また、図２とは異なり、本実施形態では、ヘッドＣＰＵ１９ａが本発明にいうインターフェース設定部となっており、ヘッドＣＰＵ１９ａが主体となって通信速度の設定が行なわれるようになっている。
【００７０】
図７は、図６に示すカメラヘッド１ａおよびカメラ本体１ｂ双方が有する高速シリアルＩ／Ｆ１５０ａ，１５０ｂ、光通信Ｉ／Ｆ１５２ａ，１５２ｂの通信仕様を示す図である。
【００７１】
図７（ａ）には、カメラ本体１ｂ側の通信仕様が示されており、図７（ｂ）には、カメラヘッド１ａ側の通信仕様が示されている。
【００７２】
カメラ本体１ｂ側は高速シリアルＩ／Ｆ１５０ｂと高速光通信Ｉ／Ｆの２つの種類の通信Ｉ／Ｆを備えており、カメラヘッド１ａ側も高速シリアル通信Ｉ／Ｆ１５０ａと高速光通信Ｉ／Ｆ１５２ａの２つの種類の通信Ｉ／Ｆを備えている。カメラ本体１ｂ、カメラヘッド１ａの高速シリアルＩ／Ｆはともに２００Ｍｂｐｓの通信速度をサポートしており、またカメラ本体１ｂ側の高速光通信Ｉ／Ｆ１５２ｂは８００Ｍｂｐｓ、１０００Ｍｂｐｓを、カメラヘッド側の高速光通信Ｉ／Ｆ１５２ａは５００Ｍｂｐｓの通信速度をサポートしている。
【００７３】
このような場合には、高速シリアルＩ／Ｆ１５０ａ，１５０ｂの２００Ｍｂｐｓが共通の通信速度として双方の高速シリアルＩ／Ｆ１５０ａ，１５０ｂに設定される。
【００７４】
図８は、ヘッドＣＰＵ１０１ｂが制御する、カメラ本体１ｂとカメラヘッド１ａとの間の通信手順を示すフローチャートである。
【００７５】
図６に示す電源制御部１４０ｂによってカメラヘッドがカメラ本体に装着されたときの接続検出がカメラ本体１ｂ側で行なわれるため、ヘッドＣＰＵ１９ａが３線シリアルＩ／Ｆ１５１ａ，１５１ｂを制御してカメラ本体１５１ｂ側に接続検出の問い合わせを行ない続けている。ここでヘッドＣＰＵ１９ａがその接続検出結果を受けると、ヘッドＣＰＵ１９ａが３線シリアルＩ／Ｆ１５１ａ，１５１ｂを制御してカメラ本体１ｂ側に通信仕様の問い合わせを行なう。この問い合わせを受けてカメラ本体１ａの３線シリアルＩ／Ｆ１５１ｂから通信仕様が返送されてきたらその通信仕様を参照して、自分自身の通信速度を決定してまずカメラヘッドの高速シリアルＩ／Ｆ１５１ａに設定する。さらにその決定した通信速度をカメラ本体１ｂへ送信してその送信した通信速度をカメラ本体１ｂ側の高速シリアルＩ／Ｆに設定する。カメラ本体１ｂ側の設定が完了したことを、完了通知（ＡＣＫ）を受け取ることにより検知する。そうしたら、双方の通信Ｉ／Ｆが通信レディ状態になる。
【００７６】
このようにすると、カメラヘッド側が主体となって、どのようなカメラ本体に装着されてもカメラ本体側の通信Ｉ／Ｆの通信仕様を参照してから双方の通信Ｉ／Ｆの設定が設定されるカメラシステムが実現される。また、同時にカメラヘッド１ａが交換自在にカメラ本体１ｂに装着されたときに、カメラ本体が備える高速シリアルＩ／Ｆ１５０ａがカメラヘッドの高速シリアルＩ／Ｆに適合するかどうかを判定することができるカメラヘッドも実現される。
【００７７】
図６ではカメラ本体１ｂ側の電源制御部によりカメラヘッドがカメラ本体に装着されたときの接続検出を行なっているため、カメラ本体側で接続検出を行なっているが、カメラヘッド側でその接続検出を行うようにしても良い。
【００７８】
図９は、カメラ本体側の代わりにヘッド側に接続検出部を設けたときの手順を示す図である。
【００７９】
図８と見比べればすぐに分かるように、図９ではカメラヘッド側で接続検出を行なうので、カメラ本体側から接続検出の通知を受ける必要がなくなって手順が一つ省略される、そうすると電源投入時により速く通信Ｉ／Ｆの設定を行なって撮影モードが選択されていた場合にはスルー画の表示がいち早く行なわれるようになる。
【００８０】
このようにすると、カメラシステムだけでなく、カメラヘッドがカメラ本体に交換自在に装着されたときに、双方が備える高速シリアルＩ／Ｆ１５０ａ，１５０ｂとの間に正規の適合性が確保されるかの弁別を低速シリアルＩ／Ｆ１５１ｂを制御することによって行なうことができるカメラヘッドが実現される。
【００８１】
以上説明したように、カメラヘッドがカメラ本体に装着されたときにカメラヘッドが備える通信Ｉ／Ｆとカメラ本体が備える通信Ｉ／Ｆが適合するかどうかを判定することが自在なカメラシステムが実現される。またそのカメラシステムを構成するカメラ本体、またカメラヘッドもそれぞれ実現される。
【００８２】
なお、本実施形態では、カメラヘッド、カメラ本体とも複数の種類があって、それらのうちのいずれかのカメラヘッドがいずれかのカメラ本体に装着されるようなカメラシステムを例に掲げたが、カメラ本体が複数の種類あって、一つのカメラヘッドがその複数種類の中のいずれかのカメラ本体に装着されるようなカメラシステムであっても、逆にカメラヘッドが複数の種類あって、その複数の種類の中のいずれかのカメラヘッドが一つのカメラ本体に装着されるようなカメラシステムであっても良く、またカメラヘッド、カメラ本体とも複数の種類を備えたものでなく、一つづつのものであっても良い。
【図面の簡単な説明】
【００８３】
【図１】本発明の一実施形態であるカメラシステムを示す図である。
【図２】複数の種類の中の一つであるカメラヘッド１ａが複数の種類の一つであるカメラ本体１ｂに交換自在に装着されカメラシステムが構成されたときの外観を示す図である。
【図３】カメラヘッド１ａがカメラ本体１ｂに装着された状態にあるときのカメラシステムの内部構成を示すブロック図である。
【図４】本体ＣＰＵ１０１ｂが制御する、カメラ本体とカメラヘッドとの間の通信手順を示すフローチャートである。
【図５】カメラヘッド１ａ側およびカメラ本体側の高速シリアルＩ／Ｆ１５０ａ，１５０ｂに設定可能な、複数の通信速度を示す図である。
【図６】別の通信Ｉ／Ｆを持つカメラヘッドの構成を示す図である。
【図７】図６に示すカメラヘッド１ａおよびカメラ本体１ｂ双方が有する高速シリアルＩ／Ｆ１５０ａ，１５０ｂ、光通信Ｉ／Ｆ１５２ａ，１５２ｂの通信仕様を示す図である。
【図８】ヘッドＣＰＵ１０１ｂが制御する、カメラ本体１ｂとカメラヘッド１ａとの間の通信手順を示すフローチャートである。
【図９】カメラ本体側の代わりにヘッド側に接続検出部を設けたときの手順を示す図である。
【符号の説明】
【００８４】
１  カメラシステム
１ａ  カメラヘッド
１００ａ    電源制御部
１０１ａ    ＤＣ／ＤＣコンバータ
１１ａ    撮影光学系
１２ａ    ＣＣＤ
１３ａ    アナログ信号処理部
１４ａ    Ａ／Ｄ部
１５０ａ    高速シリアルＩ／Ｆ（第１のヘッド側インターフェース）
１５１ａ    ３線シリアルＩ／Ｆ（第２のヘッド側インターフェース）
１６ａ    積算回路
１７ａ    絞り／フォーカス／ズーム制御部
１８ａ    ＴＧ
１９ａ    ヘッドＣＰＵ
１９０ａ    システムメモリ（ＲＯＭ／ＲＡＭ）
１９１ａ    不揮発性メモリ
１９２ａ    データバス
１ｂ    カメラ本体
１０ｂ    ヘッドマウント
１００ｂ    本体ＣＰＵ
１０１ｂ    システムメモリ
１０２ｂ    不揮発性メモリ
１０３ｂ    デジタル信号処理部
１０３１ｂ    オフセット補正部
１０３２ｂ    積算回路
１０３３ｂ    ＷＢゲイン乗算部
１０３４ｂ    リニアＭＴＸ
１０３５ｂ    ガンマ補正部
１０３６ｂ    同時化部
１０３７１ｂ    輪郭補正部
１０３７２ｂ    色差ＭＴＸ
１０３８ｂ    ＪＰＥＧ圧縮部
１０４ｂ    フレームメモリ
１０５ｂ    ＬＣＤ制御部
１０５０ｂ    ＬＣＤ
１０６ｂ    カードＩ／Ｆ
１０７ｂ    メモリカードスロット
１０８ｂ    メモリカード
１５０ｂ    高速シリアルＩ／Ｆ（第１の本体側インターフェース）
１５１ｂ    ３線シリアルＩ／Ｆ（第２の本体側インターフェース）
【図１】
2006041900.tif 000003
【図２】
2006041900.tif 000004
【図３】
2006041900.tif 000005
【図４】
2006041900.tif 000006
【図５】
2006041900.tif 000007
【図６】
2006041900.tif 000008
【図７】
2006041900.tif 000009
【図８】
2006041900.tif 000010
【図９】
2006041900.tif 000011